(57)【要約】      （修正有）【課題】製造が簡単で、製造コストの低減と分解や組立が容易で、定位も堅実な椅子を提供する。【解決手段】支持ロッド４は、足踏みホイール６が嵌めて設けてあり、その底端がシート台座と結合し、その周面には複数の環状溝４１が等距離に設けられ、定位用スリーブは、上側がより薄くて下側がより厚い円錐状を呈し、二つの半円状スリーブ５１，５２を互いに枢着して構成されたものであり、且つ前記半円状スリーブの内周面には支持ロッドにある環状溝と対応する環状突起５１３，５２３が設けてあり、二つの前記半円状スリーブを合わせると、定位用スリーブが支持ロッドに係止され、前記足踏みホイールは、その内リング体６１の内側には、支持ロッドに設けられた定位用スリーブと合って前記足踏みホイールを固定するための嵌め孔６１１が設けてある。【選択図】図５
0003109528.tif 000002
【実用新案登録請求の範囲】
【請求項１】
支持ロッドと、定位用スリーブと、足踏みホイールと、シート台座とを含む椅子の構造において、
前記支持ロッドは、足踏みホイールが嵌めて設けてあると共に、その底端が前記シート台座と結合し、且つその周面に複数の環状溝が等距離に設けられ、
前記定位用スリーブは、上側がより薄くて下側がより厚い円錐状を呈していて、二つの半円状スリーブを互いに枢着して構成されたものであり、且つ前記半円状スリーブの内周面に前記支持ロッドの環状溝と対応する環状突起が設けられていて、前記二つの半円状スリーブを合わせて支持ロッドに係止され、
前記足踏みホイールは、内リング体を有し、前記内リング体の内側には、支持ロッドに設けられた定位用スリーブと合って前記足踏みホイールを固定するための嵌め孔が設けてあることを特徴とする、
椅子の構造。
【請求項２】
前記二つの半円状スリーブを互いに嵌めて定位するために、その非枢着端には凹部と凸部とがそれぞれ設けてあることを特徴とする、請求項１に記載の椅子の構造。
【考案の詳細な説明】
【技術分野】
【０００１】
本考案はレストランやクラブなどの場所に適用される椅子の構造に係り、特に支持ロッドに足踏みホイールが設けてあり、足踏みホイールと支持ロッドの間には上側がより薄くて下側がより厚い円錐状を呈する定位用スリーブが設けてあることにより、製造が簡単になり、製造コストが低減になり、分解や組合が容易になり、定位も堅実になる椅子の構造に関するものである。
【背景技術】
【０００２】
図１と図２に示すように、従来の椅子は支持ロッド１と、足踏みホイール２と、シート台座３とを含み、前記支持ロッド１の底端がシート台座３と結合し、前記足踏みホイール２は複数のアーム２１により内外リング体２２，２３が結合されて一つのハンドル体になり、前記内リング体２２の内部には金属製のＣ型リング２２１が設けてあり、且つ前記内リング体２２にはネジ穴２２２が設けてあり、前記ネジ穴２２２とＣ型リング２２１の間には一つの止め片２２３が設けてあり、締結素子２２４がネジ穴２２２をネジ込んで止め片２２３を圧迫して止め片２２３がＣ型リング２２１を圧迫することにより、Ｃ型リング２２１が支持ロッド１の周面に圧迫し、そうすると、前記足踏みホイール２が支持ロッド１に固定される。
【考案の開示】
【考案が解決しようとする課題】
【０００３】
しかしながら、前記した従来の椅子には次のような欠点があった。
（１）足踏みホイール２を支持ロッド１に固定するために例えばＣ型リング２２１と、止め片２２３と、締結素子２２４等の多数の部品を使用する必要があるため、製造コストが高くなり、組合作業も面倒になる。
【０００４】
（２）締結素子２２４の一つの接触点で、足踏みホイール２の重量を受けるので、長期間使用されると、足踏みホイール２の固定の安定性が悪くなり、外力を受けると、足踏みホイール２が下へ摺動し易くなる。
【０００５】
（３）足踏みホイール２で採用される締結素子２２４は、足踏みホイール２の重量を受けると共に、手で締結素子２２４をネジ込む必要があるので、組合作業が極めて面倒である。
【０００６】
（４）足踏みホイール２の部材が多いことの他に、その内リング体２２に形成するネジ穴２２２の加工作業がもっと複雑である。
【０００７】
（５）足踏みホイール２はＣ型リング２２１により支持ロッド１と接触して固定するが、両者の接触面がスムーズであるので、外力を受けると、足踏みホイール２が下へ摺動し易くなる。
【０００８】
（６）足踏みホイール２を固定するための要素である、ネジ孔２２２と、締結素子２２４と、金属製止め片２２３と、Ｃ型リング２２１とは全て金属製品であるために錆び易く、またそれらの部材が錆びにより結合すると締結素子２２４を取り出すことができなくなり、ひいては足踏みホイール２の高度調整ができなくなる。
【０００９】
（７）足踏みホイール２にある内リング体２２の内径と支持ロッド１の直径の間には隙間があるので、両者を組み合せるときには、一つの手で足踏みホイール２を支持し、他の手で締結素子２２４をネジ込むことが必要となるので、作業が極めて面倒であり、且つ締結素子２２４の先端が隠れて足踏みホイール２を確実に固定したかどうかが確認できないので、締結素子２２４の締めは勘で行っているために、足踏みホイール２が落下したり、又は傾いたりすることがよくあり、更に足踏みホイール２が突然落下して使用者が怪我をすることもよくあった。
【課題を解決するための手段】
【００１０】
上記欠点を解決するためになされた本願の考案は、支持ロッドと、定位用スリーブと、足踏みホイールと、シート台座とを含む椅子の構造において、前記支持ロッドは、足踏みホイールが嵌めて設けてあり、その底端がシート台座と結合し、その周面には複数の環状溝が等距離に設けられ、前記定位用スリーブは、上側がより薄くて下側がより厚い円錐状を呈し、二つの半円状スリーブを互いに枢着して構成されたものであり、且つ前記半円状スリーブの内周面には支持ロッドにある環状溝と対応する環状突起が設けてあり、二つの前記半円状スリーブを合わせると、定位用スリーブが支持ロッドに係止され、前記足踏みホイールは、内リング体を有し、前記内リング体の内側には、支持ロッドに設けられた定位用スリーブと合って前記足踏みホイールを固定するための嵌め孔が設けてあることを特徴とする椅子の構造であることを要旨としている。
【００１１】
本願の考案では、二つの前記半円状スリーブは、互いに嵌めて定位するために、その非枢着端には凹部と凸部とがそれぞれ設けてあることを特徴とする、前記した椅子の構造であることを要旨としている。
【考案の効果】
【００１２】
本考案に係る椅子の構造によれば、次のような効果がある。
（１）位用スリーブ５を支持ロッド４に設置して、支持ロッド４に足踏みホイール６を嵌めて、足踏みホイール６が定位用スリーブ５を嵌めて圧迫するだけで、組立作業が完了するので、使用される部材が少なく、製造コストを低減することができる。
【００１３】
（２）支持ロッド４には複数の環状溝４１が等距離に設けてあるので、定位用スリーブ５は足踏みホイール６の高度を調整して固定することができる。また、定位用スリーブ５の二つの半円状スリーブ５１，５２にある環状突起５１３，５２３を支持ロッド４にある環状溝４１と嵌合すると、足踏みホイール６を固定することができる。
【００１４】
（３）定位用スリーブ５は、上側がより薄くて下側がより厚い円錐状を呈し、支持ロッド４と全面に接触するので、足踏みホイール６に加える力が均一になり、そのため、固定の安定性が良くなり、外力を受けても、足踏みホイール６が容易に下へ摺動し難くなる。
【００１５】
（４）足踏みホイール６を組付け又は取り外すときには、二つの手で足踏みホイール６を握って上下に移動できるので、極めて便利である。
【考案を実施するための最良の形態】
【００１６】
以下、添付図面を参照して本考案の好適な実施の形態を詳細に説明する。
【００１７】
まず、図３乃至図５を参照する。本考案に係る椅子の構造は、支持ロッド４と、定位用スリーブ５と、足踏みホイール６と、シート台座７とを含む。
【００１８】
前記支持ロッド４は、その頂端が座り部（図示せず）と結合し、その底端がシート台座と結合し、その周面には複数の環状溝４１が等距離に設けられる。
【００１９】
前記定位用スリーブ５は、上側がより薄くて下側がより厚い円錐状を呈し、二つの半円状スリーブ５１，５２を互いに枢着して構成されたものであり、且つ前記半円状スリーブ５１，５２は、互いに嵌めて定位するために、その非枢着端５１１，５２１には凹部５１２と凸部５２２とがそれぞれ設けてあり、前記半円状スリーブ５１，５２の内周面には支持ロッド４にある環状溝４１と対応する環状突起５１３，５２３が設けてあり、二つの前記半円状スリーブ５１，５２を合わせると、定位用スリーブ５が支持ロッド４に係止される。
【００２０】
前記足踏みホイール６は、内リング体６１を有し、前記内リング体６１の内側には、支持ロッド４に設けられた定位用スリーブ５と合って前記足踏みホイール６を固定するための嵌め孔６１１が設けてあり、前記嵌め孔６１１は上側の直径が下側の直径よりも小さい。
【００２１】
前記足踏みホイール６を支持ロッド４に設置しようとするときには、定位用スリーブ５にある二つの半円状スリーブ５１，５２を開かせて、半円状スリーブ５１，５２の内周面を支持ロッド４に当接して閉じ、このとき、半円状スリーブ５１，５２の内周面にある環状突起５１３，５２３が支持ロッド４の何れか一つの環状溝４１に嵌め込み、且つ半円状スリーブ５１，５２の凹部５１２と凸部５２２とは互いに嵌合し、だから、支持ロッド４に嵌合した定位用スリーブ５が上側がより薄くて下側がより厚い円錐状を呈し、また、足踏みホイール６にある内リング体６１の嵌め孔６１１を支持ロッド４に嵌め、前記嵌め孔６１１により定位用スリーブ５を圧迫すると、図５に示すように、足踏みホイール６が固定される。
【００２２】
また、前記足踏みホイール６と支持ロッド４の結合構造は、支持ロッド４に定位用スリーブ５を予めに設置し、前記足踏みホイール６にある嵌め孔６１１を定位用スリーブ５に圧迫し、且つ定位用スリーブ５が上側がより薄くて下側がより厚い円錐状を呈し、前記嵌め孔６１１は上側の直径が下側の直径よりも小さいので、嵌め孔６１１と定位用スリーブ５の嵌合により、前記足踏みホイール６を確実に固定することができる。
【００２３】
足踏みホイール６の支持ロッド４に対する高度を調整しようとするときには、二つの手で足踏みホイール６を握って上へ引くと、足踏みホイール６が定位用スリーブ５から離脱し、また、定位用スリーブ５にある二つの半円状スリーブ５１，５２を開かせて、半円状スリーブ５１，５２の内周面にある環状突起５１３，５２３が支持ロッド４の別の何れか一つの環状溝４１に嵌め込んで閉じて、前記足踏みホイール６にある嵌め孔６１１を定位用スリーブ５に圧迫し、且つ定位用スリーブ５が上側がより薄くて下側がより厚い円錐状を呈し、前記嵌め孔６１１は上側の直径が下側の直径よりも小さいので、嵌め孔６１１と定位用スリーブ５の嵌合により、前記足踏みホイール６を確実に固定することができる。
【図面の簡単な説明】
【００２４】
【図１】従来の椅子の分解斜視図である。
【図２】従来の椅子の組合状態の断面図である。
【図３】本考案に係る椅子の斜視図である。
【図４】本考案に係る椅子の一部の分解斜視図である。
【図５】図４に係る部品の組付状態の断面図である。
【符号の説明】
【００２５】
１        支持ロッド
２        足踏みホイール
３        シート台座
２２      内リング体
２３      外リング体
２２１    Ｃ型リング
２２２    ネジ穴
２２３    締結素子
２２４    締結素子
７        シート台座
４        支持ロッド
５        定位用スリーブ
４１      環状溝
５１      半円状スリーブ
５２      半円状スリーブ
５１１    非枢着端
５２１    非枢着端
５１２    凹部
５２２    凸部
５１３    環状突起
５２３    環状突起
６        足踏みホイール
６１      内リング体
６１１    嵌め孔
【図１】
0003109528.tif 000003
【図２】
0003109528.tif 000004
【図３】
0003109528.tif 000005
【図４】
0003109528.tif 000006
【図５】
0003109528.tif 000007